(57)【要約】【課題】ユーザの撮影趣向に個別かつ柔軟に対応して満足度の高い動画撮影を実行することができる回転光学要素を有する動画撮影装置及びこれを用いた動画撮影方法を得る。【解決手段】モード設定部１５０は、偏光フィルタ１１０を使用した動画撮影を許可する偏光フィルタ使用許可モードと、偏光フィルタ１１０を使用した動画撮影を禁止する偏光フィルタ使用禁止モードとのいずれかを設定する。制御部１２０は、モード設定部１５０が偏光フィルタ使用許可モードと偏光フィルタ使用禁止モードとのいずれを設定しているかに応じて、挿脱駆動機構１０４及び回転駆動機構１１１並びにＣＣＤ１０３を異なる態様で制御する。【選択図】図１
2014049869.tif 000002
【特許請求の範囲】
【請求項１】
撮影光学系を介して被写体の動画像を撮像する動画撮像部と、
前記撮影光学系の光路上で回転することで異なる撮影効果を与える回転光学要素と、
前記回転光学要素を、前記撮影光学系の光路上への挿入位置と、前記撮影光学系の光路上からの離脱位置との間で挿脱駆動する挿脱駆動機構と、
前記回転光学要素を、前記撮影光学系の光路上への挿入位置で回転駆動する回転駆動機構と、
前記回転光学要素を使用した動画撮影を許可する回転光学要素使用許可モードと、前記回転光学要素を使用した動画撮影を禁止する回転光学要素使用禁止モードとのいずれかを設定するモード設定部と、
前記モード設定部が回転光学要素使用許可モードと回転光学要素使用禁止モードとのいずれを設定しているかに応じて、前記挿脱駆動機構及び前記回転駆動機構並びに前記動画撮像部を異なる態様で制御する制御部と、
を備えることを特徴とする回転光学要素を有する動画撮影装置。
【請求項２】
請求項１記載の回転光学要素を有する動画撮影装置において、
回転光学要素使用許可モードは複数備えられており、
前記モード設定部は、複数の回転光学要素使用許可モードのいずれかを択一的に設定可能であり、
前記制御部は、前記モード設定部が複数の回転光学要素使用許可モードのいずれを設定しているかに応じて、前記挿脱駆動機構及び前記回転駆動機構並びに前記動画撮像部を異なる態様で制御する回転光学要素を有する動画撮影装置。
【請求項３】
請求項１または２記載の回転光学要素を有する動画撮影装置において、
前記制御部は、前記モード設定部が回転光学要素使用許可モードを設定しているとき、前記回転光学要素を挿入位置に位置させ、かつ前記挿脱駆動機構による前記回転光学要素の離脱駆動及び前記回転駆動機構による前記回転光学要素の回転駆動を禁止した状態で、前記動画撮像部による動画撮像を実行する回転光学要素を有する動画撮影装置。
【請求項４】
請求項３記載の回転光学要素を有する動画撮影装置において、
前記回転光学要素の挿入位置における回転角度は、前記動画撮像部による動画撮像を実行する前に予め設定変更が可能であり、又は前記動画撮影装置の固有の回転角度として水平方向に振動する偏光成分をカットするように設定されている回転光学要素を有する動画撮影装置。
【請求項５】
請求項１または２記載の回転光学要素を有する動画撮影装置において、
前記制御部は、前記モード設定部が回転光学要素使用許可モードを設定しているとき、前記挿脱駆動機構による前記回転光学要素の挿脱駆動を許可し、かつ前記回転駆動機構による前記回転光学要素の回転駆動を禁止した状態で、前記動画撮像部による動画撮像を実行する回転光学要素を有する動画撮影装置。
【請求項６】
請求項５記載の回転光学要素を有する動画撮影装置において、
前記動画撮像部が撮像した被写体像の輝度信号を取得する輝度信号取得部をさらに備えており、
前記制御部は、前記動画撮像部による動画撮像の実行中に、前記輝度信号取得部が取得した輝度信号に基づいて、前記挿脱駆動機構によって前記回転光学要素を自動的に挿脱駆動させる回転光学要素を有する動画撮影装置。
【請求項７】
請求項５記載の回転光学要素を有する動画撮影装置において、
前記挿脱駆動機構による前記回転光学要素の挿脱駆動を実行するための入力操作を行う挿脱駆動スイッチをさらに備えており、
前記制御部は、前記動画撮像部による動画撮像の実行中に、前記挿脱駆動スイッチの入力操作に応じて、前記挿脱駆動機構によって前記回転光学要素を挿脱駆動させる回転光学要素を有する動画撮影装置。
【請求項８】
請求項５ないし７のいずれか１項記載の回転光学要素を有する動画撮影装置において、
前記回転光学要素の挿入位置における回転角度は、前記動画撮像部による動画撮像を実行する前に予め設定変更が可能であり、又は前記動画撮影装置の固有の回転角度として水平方向に振動する偏光成分をカットするように設定されている回転光学要素を有する動画撮影装置。
【請求項９】
請求項１または２記載の回転光学要素を有する動画撮影装置において、
前記制御部は、前記モード設定部が回転光学要素使用許可モードを設定しているとき、前記回転光学要素を挿入位置に位置させ、この挿入位置における前記回転駆動機構による前記回転光学要素の回転駆動を許可し、かつ前記挿脱駆動機構による前記回転光学要素の離脱駆動を禁止した状態で、前記動画撮像部による動画撮像を実行する回転光学要素を有する動画撮影装置。
【請求項１０】
請求項９記載の回転光学要素を有する動画撮影装置において、
前記動画撮像部が撮像した被写体像の輝度信号を取得する輝度信号取得部をさらに備えており、
前記制御部は、前記動画撮像部による動画撮像の実行中に、前記輝度信号取得部が取得した輝度信号に基づいて、前記回転駆動機構によって前記回転光学要素を自動的に回転駆動させる回転光学要素を有する動画撮影装置。
【請求項１１】
請求項９記載の回転光学要素を有する動画撮影装置において、
前記回転駆動機構による前記回転光学要素の回転駆動を実行するための入力操作を行う回転駆動スイッチをさらに備えており、
前記制御部は、前記動画撮像部による動画撮像の実行中に、前記回転駆動スイッチの入力操作に応じて、前記回転駆動機構によって前記回転光学要素を回転駆動させる回転光学要素を有する動画撮影装置。
【請求項１２】
請求項９ないし１１のいずれか１項記載の回転光学要素を有する動画撮影装置において、
前記回転駆動機構は、前記動画撮像部が動画撮像を実行しているときとそれ以外のときとで、前記回転光学要素を回転駆動させる速度を変化させる回転光学要素を有する動画撮影装置。
【請求項１３】
請求項１ないし１２のいずれか１項記載の回転光学要素を有する動画撮影装置において、
前記制御部は、前記モード設定部が回転光学要素使用禁止モードを設定しているとき、前記回転光学要素を離脱位置に位置させ、かつ前記挿脱駆動機構による前記回転光学要素の挿入駆動を禁止した状態で、前記動画撮像部による動画撮像を実行する回転光学要素を有する動画撮影装置。
【請求項１４】
請求項１ないし１３のいずれか１項記載の回転光学要素を有する動画撮影装置において、
前記動画撮像部による動画撮像と同時に音声録音を実行可能な音声録音部をさらに備えており、
前記制御部は、回転光学要素使用許可モードと回転光学要素使用禁止モードのうち、前記回転光学要素の挿脱駆動音及び回転駆動音が発生し得ないモードが設定されているときは前記音声録音部による音声録音を許可し、前記回転光学要素の挿脱駆動音又は回転駆動音が発生し得るモードが設定されているときは前記音声録音部による音声録音を禁止して、前記動画撮像部による動画撮像を実行する回転光学要素を有する動画撮影装置。
【請求項１５】
請求項１ないし１４のいずれか１項記載の回転光学要素を有する動画撮影装置において、
前記挿脱駆動機構による前記回転光学要素の挿脱駆動又は前記回転駆動機構による前記回転光学要素の回転駆動に動作エラーが発生したとき、前記動画撮像部が撮像した被写体の動画像のうち、前記動作エラーが発生した時点より前の部分だけを抽出する画像処理部をさらに備える回転光学要素を有する動画撮影装置。
【請求項１６】
請求項１ないし１５のいずれか１項記載の回転光学要素を有する動画撮影装置において、
前記回転光学要素は、前記撮影光学系を通過する光束の偏光状態を変化させる偏光フィルタからなる回転光学要素を有する動画撮影装置。
【請求項１７】
撮影光学系を介して被写体の動画像を撮像する動画撮像部と、
前記撮影光学系の光路上で回転することで異なる撮影効果を与える回転光学要素と、
前記回転光学要素を、前記撮影光学系の光路上への挿入位置と、前記撮影光学系の光路上からの離脱位置との間で挿脱駆動する挿脱駆動機構と、
前記回転光学要素を、前記撮影光学系の光路上への挿入位置で回転駆動する回転駆動機構と、
前記挿脱駆動機構による前記回転光学要素の挿脱駆動及び前記回転駆動機構による前記回転光学要素の回転駆動の全てを許可する完全使用許可モードと、前記挿脱駆動機構による前記回転光学要素の挿脱駆動及び前記回転駆動機構による前記回転光学要素の回転駆動の一部を禁止する一部使用禁止モードとのいずれかを設定するモード設定部と、
前記モード設定部が完全使用許可モードと一部使用禁止モードとのいずれを設定しているかに応じて、前記挿脱駆動機構及び前記回転駆動機構並びに前記動画撮像部を異なる態様で制御する制御部と、
を備えることを特徴とする回転光学要素を有する動画撮影装置。
【請求項１８】
撮影光学系を介して被写体の動画像を撮像する動画撮像部と、前記撮影光学系の光路上で回転することで異なる撮影効果を与える回転光学要素と、前記回転光学要素を、前記撮影光学系の光路上への挿入位置と、前記撮影光学系の光路上からの離脱位置との間で挿脱駆動する挿脱駆動機構と、前記回転光学要素を、前記撮影光学系の光路上への挿入位置で回転駆動する回転駆動機構と、を備える回転光学要素を有する動画撮影装置において、
前記回転光学要素を使用した動画撮影を許可する回転光学要素使用許可モードと、前記回転光学要素を使用した動画撮影を禁止する回転光学要素使用禁止モードとのいずれかを設定するステップと、
前記設定ステップで回転光学要素使用許可モードと回転光学要素使用禁止モードとのいずれを設定したかに応じて、前記挿脱駆動機構及び前記回転駆動機構並びに前記動画撮像部を異なる態様で制御するステップと、を有することを特徴とする動画撮影方法。
【発明の詳細な説明】
【技術分野】
【０００１】
本発明は、例えば偏光フィルタなどの回転光学要素を有する動画撮影装置及びこれを用いた動画撮影方法に関する。
【背景技術】
【０００２】
従来、カメラボディに偏光フィルタ（回転光学要素）を内蔵した偏光フィルタ内蔵型のデジタルカメラやビデオカメラ（動画撮影装置）が知られている。偏光フィルタは、撮影光学系の光路上への挿入位置と同光路上からの離脱位置との間の挿脱駆動、及び撮影光学系の光路上への挿入位置での回転駆動が可能である。
【０００３】
偏光フィルタ内蔵型のデジタルカメラやビデオカメラによる動画撮影においては、多岐にわたるユーザの撮影趣向が存在する。例えば、「偏光フィルタは専ら静止画撮影時に使用するものであって動画撮影時には一切使用したくない」という撮影趣向が存在する。一方、動画撮影時に偏光フィルタを使用する場合においても、「偏光フィルタを回転させて偏光効果の変化を適宜取り込みながら動画撮影を行いたい」、「偏光フィルタの回転角度を水平方向に振動する偏光成分をカットするような回転角度に固定することで偏光サングラスをかけて見ているかのような動画撮影を行いたい」又は「偏光フィルタを挿脱駆動させて偏光フィルタの使用時と非使用時の偏光効果を見比べたい」などといった様々な撮影趣向が存在する。
【０００４】
しかしながら、従来品の偏光フィルタ内蔵型のデジタルカメラやビデオカメラには、このようなユーザの撮影趣向に目を向けて開発されたものはなく、満足度の高い動画撮影を実行することができなかった。
【先行技術文献】
【特許文献】
【０００５】
【特許文献１】特開２０１１−１４５３４３号公報
【発明の概要】
【発明が解決しようとする課題】
【０００６】
本発明は、以上の問題意識に基づいて完成されたものであり、ユーザの撮影趣向に個別かつ柔軟に対応して満足度の高い動画撮影を実行することができる回転光学要素を有する動画撮影装置及びこれを用いた動画撮影方法を得ることを目的とする。
【課題を解決するための手段】
【０００７】
本発明の回転光学要素を有する動画撮影装置は、その一態様にあっては、撮影光学系を介して被写体の動画像を撮像する動画撮像部と、前記撮影光学系の光路上で回転することで異なる撮影効果を与える回転光学要素と、前記回転光学要素を、前記撮影光学系の光路上への挿入位置と、前記撮影光学系の光路上からの離脱位置との間で挿脱駆動する挿脱駆動機構と、前記回転光学要素を、前記撮影光学系の光路上への挿入位置で回転駆動する回転駆動機構と、前記回転光学要素を使用した動画撮影を許可する回転光学要素使用許可モードと、前記回転光学要素を使用した動画撮影を禁止する回転光学要素使用禁止モードとのいずれかを設定するモード設定部と、前記モード設定部が回転光学要素使用許可モードと回転光学要素使用禁止モードとのいずれを設定しているかに応じて、前記挿脱駆動機構及び前記回転駆動機構並びに前記動画撮像部を異なる態様で制御する制御部と、を備えることを特徴としている。
【０００８】
回転光学要素使用許可モードは複数備えられており、前記モード設定部は、複数の回転光学要素使用許可モードのいずれかを択一的に設定可能であり、前記制御部は、前記モード設定部が複数の回転光学要素使用許可モードのいずれを設定しているかに応じて、前記挿脱駆動機構及び前記回転駆動機構並びに前記動画撮像部を異なる態様で制御することができる。
【０００９】
前記制御部は、前記モード設定部が回転光学要素使用許可モードを設定しているとき、前記回転光学要素を挿入位置に位置させ、かつ前記挿脱駆動機構による前記回転光学要素の離脱駆動及び前記回転駆動機構による前記回転光学要素の回転駆動を禁止した状態で、前記動画撮像部による動画撮像を実行することができる。
【００１０】
前記回転光学要素の挿入位置における回転角度は、前記動画撮像部による動画撮像を実行する前に予め設定変更可能とし、又は前記動画撮影装置の固有の回転角度として水平方向に振動する偏光成分をカットするように設定することができる。
【００１１】
前記制御部は、前記モード設定部が回転光学要素使用許可モードを設定しているとき、前記挿脱駆動機構による前記回転光学要素の挿脱駆動を許可し、かつ前記回転駆動機構による前記回転光学要素の回転駆動を禁止した状態で、前記動画撮像部による動画撮像を実行することができる。
【００１２】
本発明の回転光学要素を有する動画撮影装置は、前記動画撮像部が撮像した被写体像の輝度信号を取得する輝度信号取得部をさらに備えており、前記制御部は、前記動画撮像部による動画撮像の実行中に、前記輝度信号取得部が取得した輝度信号に基づいて、前記挿脱駆動機構によって前記回転光学要素を自動的に挿脱駆動させることができる。
【００１３】
あるいは、本発明の回転光学要素を有する動画撮影装置は、前記挿脱駆動機構による前記回転光学要素の挿脱駆動を実行するための入力操作を行う挿脱駆動スイッチをさらに備えており、前記制御部は、前記動画撮像部による動画撮像の実行中に、前記挿脱駆動スイッチの入力操作に応じて、前記挿脱駆動機構によって前記回転光学要素を挿脱駆動させることができる。
【００１４】
前記回転光学要素の挿入位置における回転角度は、前記動画撮像部による動画撮像を実行する前に予め設定変更可能とし、又は前記動画撮影装置の固有の回転角度として水平方向に振動する偏光成分をカットするように設定することができる。
【００１５】
前記制御部は、前記モード設定部が回転光学要素使用許可モードを設定しているとき、前記回転光学要素を挿入位置に位置させ、この挿入位置における前記回転駆動機構による前記回転光学要素の回転駆動を許可し、かつ前記挿脱駆動機構による前記回転光学要素の離脱駆動を禁止した状態で、前記動画撮像部による動画撮像を実行することができる。
【００１６】
本発明の回転光学要素を有する動画撮影装置は、前記動画撮像部が撮像した被写体像の輝度信号を取得する輝度信号取得部をさらに備えており、前記制御部は、前記動画撮像部による動画撮像の実行中に、前記輝度信号取得部が取得した輝度信号に基づいて、前記回転駆動機構によって前記回転光学要素を自動的に回転駆動させることができる。
【００１７】
あるいは、本発明の回転光学要素を有する動画撮影装置は、前記回転駆動機構による前記回転光学要素の回転駆動を実行するための入力操作を行う回転駆動スイッチをさらに備えており、前記制御部は、前記動画撮像部による動画撮像の実行中に、前記回転駆動スイッチの入力操作に応じて、前記回転駆動機構によって前記回転光学要素を回転駆動させることができる。
【００１８】
前記回転駆動機構は、前記動画撮像部が動画撮像を実行しているときとそれ以外のときとで、前記回転光学要素を回転駆動させる速度を変化させることができる。
【００１９】
前記制御部は、前記モード設定部が回転光学要素使用禁止モードを設定しているとき、前記回転光学要素を離脱位置に位置させ、かつ前記挿脱駆動機構による前記回転光学要素の挿入駆動を禁止した状態で、前記動画撮像部による動画撮像を実行することができる。
【００２０】
本発明の回転光学要素を有する動画撮影装置は、前記動画撮像部による動画撮像と同時に音声録音を実行可能な音声録音部をさらに備えており、前記制御部は、回転光学要素使用許可モードと回転光学要素使用禁止モードのうち、前記回転光学要素の挿脱駆動音及び回転駆動音が発生し得ないモードが設定されているときは前記音声録音部による音声録音を許可し、前記回転光学要素の挿脱駆動音又は回転駆動音が発生し得るモードが設定されているときは前記音声録音部による音声録音を禁止して、前記動画撮像部による動画撮像を実行することができる。
【００２１】
本発明の回転光学要素を有する動画撮影装置は、前記挿脱駆動機構による前記回転光学要素の挿脱駆動又は前記回転駆動機構による前記回転光学要素の回転駆動に動作エラーが発生したとき、前記動画撮像部が撮像した被写体の動画像のうち、前記動作エラーが発生した時点より前の部分だけを抽出する画像処理部をさらに備えることができる。
【００２２】
前記回転光学要素は、前記撮影光学系を通過する光束の偏光状態を変化させる偏光フィルタから構成することができる。
【００２３】
本発明の回転光学要素を有する動画撮影装置は、別の態様にあっては、撮影光学系を介して被写体の動画像を撮像する動画撮像部と、前記撮影光学系の光路上で回転することで異なる撮影効果を与える回転光学要素と、前記回転光学要素を、前記撮影光学系の光路上への挿入位置と、前記撮影光学系の光路上からの離脱位置との間で挿脱駆動する挿脱駆動機構と、前記回転光学要素を、前記撮影光学系の光路上への挿入位置で回転駆動する回転駆動機構と、前記挿脱駆動機構による前記回転光学要素の挿脱駆動及び前記回転駆動機構による前記回転光学要素の回転駆動の全てを許可する完全使用許可モードと、前記挿脱駆動機構による前記回転光学要素の挿脱駆動及び前記回転駆動機構による前記回転光学要素の回転駆動の一部を禁止する一部使用禁止モードとのいずれかを設定するモード設定部と、前記モード設定部が完全使用許可モードと一部使用禁止モードとのいずれを設定しているかに応じて、前記挿脱駆動機構及び前記回転駆動機構並びに前記動画撮像部を異なる態様で制御する制御部と、を備えることを特徴としている。
【００２４】
本発明の動画撮影方法は、撮影光学系を介して被写体の動画像を撮像する動画撮像部と、前記撮影光学系の光路上で回転することで異なる撮影効果を与える回転光学要素と、前記回転光学要素を、前記撮影光学系の光路上への挿入位置と、前記撮影光学系の光路上からの離脱位置との間で挿脱駆動する挿脱駆動機構と、前記回転光学要素を、前記撮影光学系の光路上への挿入位置で回転駆動する回転駆動機構と、を備える回転光学要素を有する動画撮影装置において、前記回転光学要素を使用した動画撮影を許可する回転光学要素使用許可モードと、前記回転光学要素を使用した動画撮影を禁止する回転光学要素使用禁止モードとのいずれかを設定するステップと、前記設定ステップで回転光学要素使用許可モードと回転光学要素使用禁止モードとのいずれを設定したかに応じて、前記挿脱駆動機構及び前記回転駆動機構並びに前記動画撮像部を異なる態様で制御するステップと、を有することを特徴としている。
【発明の効果】
【００２５】
本発明によれば、ユーザの撮影趣向に個別かつ柔軟に対応して満足度の高い動画撮影を実行することができる回転光学要素を有する動画撮影装置及びこれを用いた動画撮影方法が得られる。
【図面の簡単な説明】
【００２６】
【図１】本発明によるデジタルカメラの構成を示すブロック図である。
【図２】モード設定部が設定可能な動画撮影モードを示す図である。
【図３】本発明による動画撮影方法の第１実施形態を示すフローチャートである。
【図４】本発明による動画撮影方法の第２実施形態を示すフローチャートである。
【図５】本発明による動画撮影方法の第３実施形態を示すフローチャートである。
【図６】本発明による動画撮影方法の第４実施形態を示すフローチャートである。
【図７】本発明による動画撮影方法の第５実施形態を示すフローチャートである。
【図８】本発明による動画撮影方法の第６実施形態を示すフローチャートである。
【発明を実施するための形態】
【００２７】
図１は、本発明によるデジタルカメラ（動画撮影装置）１００のブロック図である。デジタルカメラ１００は、カメラボディ１００Ｂの内部の撮影光軸Ｚ上に位置させて、物体側から順に、固定レンズ（撮影光学系）１０１と、可動のフォーカシングレンズ（撮影光学系）１０２と、ＣＣＤ（動画撮像部）１０３とを備えている。固定レンズ１０１とフォーカシングレンズ１０２を介して入射した被写体光束は、ＣＣＤ１０３の撮像面１０３ａに結像して被写体像が撮像される。フォーカシングレンズ１０２は、フォーカシングモータを含むフォーカシングレンズ駆動部１０２ａにより駆動されて、フォーカシング時に撮影光軸Ｚ方向に移動する。
【００２８】
デジタルカメラ１００は、ＣＣＤ１０３の前方の固定レンズ１０１とフォーカシングレンズ１０２の間に、偏光フィルタ（回転光学要素）１１０を備えている。偏光フィルタ１１０は、挿脱駆動機構１０４によって、撮影光軸Ｚ（撮影光学系の光路）上に位置する挿入位置と、撮影光軸Ｚ（撮影光学系の光路）上から離脱した離脱位置との間で挿脱駆動される。挿脱駆動機構１０４は、偏光フィルタ１１０を保持したフィルタ枠（図示せず）を挿入位置と離脱位置との間で挿脱駆動するための挿脱駆動モータ（図示せず）と、この挿脱駆動モータに設けられたホールＩＣ（図示せず）とを備えている。ホールＩＣの出力は挿脱駆動モータのロータの回転角度に応じて変動する。なお、挿脱駆動機構１０４の具体的なメカ構成は、例えば特開２００６−３３７６９４号公報、特開２００６−３３７６９５号公報、特開２００７−３９７０号公報、特開２００７−３９７１号公報、特開２００７−３３４８１号公報、特開２００７−２２５７１２号公報に開示されているように周知であるので、ここでは詳細な説明を省略する。
【００２９】
偏光フィルタ１１０は、その挿入位置において、回転駆動機構１１１により駆動されて、撮影光軸Ｚ回りに回転自在である。図示していないが、回転駆動機構１１１は、偏光フィルタ１１０を所定角度ずつステップ駆動するステッピングモータと、このステッピングモータを回転制御するモータドライバとを備えている。
【００３０】
偏光フィルタ１１０は、自身の偏光方向（偏光格子の方向）に振動する光のみを透過させる機能を持つ直線偏光フィルタである。直線偏光フィルタは、その回転角度がθ°のときの偏光効果とその回転角度がθ＋１８０°のときの偏光効果とが同一となる偏光特性を有している。つまり、直線偏光フィルタの偏光効果が変化する１周期分の回転角度は１８０°である。偏光フィルタ１１０を撮影光軸Ｚ回りに回転させてその偏光方向（偏光格子の方向）を調整することで、ＣＣＤ１０３に入射する被写体光束の偏光状態を変化させて、被写体の反射を低減または除去することができる。
【００３１】
デジタルカメラ１００は、制御部１２０と、Ａ／Ｄ変換器１０５と、信号処理回路１０６と、画像記録部１０７と、ＬＣＤモニタ１０８とを備えている。制御部１２０は、デジタルカメラ１００の全体の機能を制御する。Ａ／Ｄ変換器１０５は、ＣＣＤ１０３の撮像面１０３ａに結像した被写体像をアナログ信号からデジタル信号に変換して信号処理回路１０６に送る。信号処理回路１０６は、Ａ／Ｄ変換器１０５から送られたデジタル信号に所定の画像処理を施して画像信号とする。この画像信号は、制御部１２０を介して、動画像として、画像記録部１０７に記録され、ＬＣＤモニタ１０８に表示される。
【００３２】
デジタルカメラ１００は、偏光フィルタ１１０の操作スイッチとして、フィルタ挿脱スイッチ（挿脱駆動スイッチ）１３０とフィルタ回転スイッチ（回転駆動スイッチ）１４０とを備えている。フィルタ挿脱スイッチ１３０が押されると、フィルタ挿脱スイッチ１３０から制御部１２０に挿脱駆動指示信号が入力し、制御部１２０は、挿脱駆動機構１０４を介して、偏光フィルタ１１０を挿入位置と離脱位置の間で挿脱駆動する。偏光フィルタ１１０が挿入位置に位置しているときにフィルタ回転スイッチ１４０が押されると、フィルタ回転スイッチ１４０から制御部１２０に回転駆動指示信号が入力し、制御部１２０は、回転駆動機構１１１を介して、偏光フィルタ１１０を回転駆動する。
【００３３】
デジタルカメラ１００は動画撮影モード設定部（以下では「モード設定部」と略称する）１５０を備えている。モード設定部１５０は、デジタルカメラ１００の動画撮影モードを、ユーザの撮影趣向に個別かつ柔軟に対応するべく予め設定した複数のモードの中から択一的に設定することができる。モード設定部１５０を設ける態様には自由度があり、例えばカメラボディ１００Ｂに物理的な操作スイッチとして設ける態様、あるいはＬＣＤモニタ１０８にタッチパネル式の操作スイッチとして設ける態様が可能である。
【００３４】
図２は、モード設定部１５０が設定可能なデジタルカメラ１００の動画撮影モードを示している。同図に示すように、デジタルカメラ１００の動画撮影モードは、「偏光フィルタ使用許可モード（回転光学要素使用許可モード、一部使用禁止モード）」と「偏光フィルタ使用禁止モード（回転光学要素使用禁止モード、完全使用禁止モード）」とに大別されている。
【００３５】
「偏光フィルタ使用禁止モード」は、動画撮影の開始から終了に至るまで、偏光フィルタ１１０を離脱位置に位置させてその挿入駆動を禁止するモードである。
【００３６】
「偏光フィルタ使用許可モード」は、ユーザによるフィルタ挿脱スイッチ１３０及びフィルタ回転スイッチ１４０の操作、又は制御部１２０の自動制御によって、偏光フィルタ１１０を挿入位置に位置させた状態での動画撮影を許可するモードである。
【００３７】
「偏光フィルタ使用許可モード」はさらに、「偏光フィルタ離脱不能回転不能モード（一部使用禁止モード）」、「偏光フィルタ挿脱可能回転不能モード（一部使用禁止モード）」及び「偏光フィルタ離脱不能回転可能モード（一部使用禁止モード）」に分岐している。
【００３８】
「偏光フィルタ離脱不能回転不能モード」は、動画撮影の開始から終了に至るまで、偏光フィルタ１１０を挿入位置に位置させ、かつ挿脱駆動機構１０４による偏光フィルタ１１０の離脱駆動及び回転駆動機構１０４による偏光フィルタ１１０の回転駆動を禁止するモードである。
【００３９】
「偏光フィルタ挿脱可能回転不能モード」は、動画撮影の開始から終了に至るまで、挿脱駆動機構１０４による偏光フィルタ１１０の挿脱駆動を許可し、かつ回転駆動機構１１１による偏光フィルタ１１０の回転駆動を禁止するモードである。「偏光フィルタ挿脱可能回転不能モード」はさらに、フィルタ挿脱スイッチ１３０の操作によって偏光フィルタ１１０を手動で挿脱させる「偏光フィルタ手動挿脱モード」と、制御部１２０の制御によって偏光フィルタ１１０を自動で挿脱させる「偏光フィルタ自動挿脱モード」に分かれている。
【００４０】
「偏光フィルタ離脱不能回転可能モード」は、動画撮影の開始から終了に至るまで、偏光フィルタ１１０を挿入位置に位置させ、この挿入位置における回転駆動機構１１１による偏光フィルタ１１０の回転駆動を許可し、かつ挿脱駆動機構１０４による偏光フィルタ１１０の離脱駆動を禁止するモードである。「偏光フィルタ離脱不能回転可能モード」はさらに、フィルタ回転スイッチ１４０の操作によって偏光フィルタ１１０を手動で回転させる「偏光フィルタ手動回転モード」と、制御部１２０の制御によって偏光フィルタ１１０を自動で回転させる「偏光フィルタ自動回転モード」に分かれている。
【００４１】
デジタルカメラ１００はシャッターボタン１６０を備えている。シャッターボタン１６０は、ＣＣＤ１０３による動画撮像を実行するための入力操作を行うボタンである。モード設定部１５０によりいずれかの動画撮影モードが設定されているときにシャッターボタン１６０が押されると、シャッターボタン１６０から制御部１２０に、ＣＣＤ１０３による動画撮像を開始するための指示信号が入力する。また、動画撮影中にシャッターボタン１６０が押されると、シャッターボタン１６０から制御部１２０に、ＣＣＤ１０３による動画撮像を終了するための指示信号が入力する。
【００４２】
デジタルカメラ１００は測光手段（輝度信号取得部）１７０を備えている。測光手段１７０は、ＣＣＤ１０３が撮像した被写体像の輝度信号をリアルタイムで取得して制御部１２０に出力する。
【００４３】
デジタルカメラ１００は、ＣＣＤ１０３による動画撮像と同時に音声録音を実行可能なマイクロフォン（音声録音部）１８０を備えている。マイクロフォン１８０による音声録音は制御部１２０によって制御されている。制御部１２０は、モード設定部１５０が「偏光フィルタ使用禁止モード」、又は「偏光フィルタ使用許可モード」の「偏光フィルタ離脱不能回転不能モード」を設定しているときは、マイクロフォン１８０による音声録音を許可する。制御部１２０は、モード設定部１５０が「偏光フィルタ使用許可モード」の「偏光フィルタ挿脱可能回転不能モード」又は「偏光フィルタ離脱不能回転可能モード」を設定しているときは、マイクロフォン１８０による音声録音を禁止する。このように、偏光フィルタ１１０の駆動音が発生し得ない動画撮影モードではマイクロフォン１８０による音声録音を許可し、偏光フィルタ１１０の駆動音が発生し得る動画撮影モードではマイクロフォン１８０による音声録音を禁止することで、動画撮影と同時に音声録音を行う場合であっても偏光フィルタ１１０の駆動音が録音されるのを防止することができる。
【００４４】
デジタルカメラ１００は、ＣＣＤ１０３が撮像した被写体の動画像に画像処理を施す画像処理部１９０を備えている。画像処理部１９０は、挿脱駆動機構１０４による偏光フィルタ１１０の挿脱駆動又は回転駆動機構１１１による偏光フィルタ１１０の回転駆動に動作エラーが発生したとき、ＣＣＤ１０３が撮像した被写体の動画像のうち、動作エラーが発生した時点より前の部分だけを抽出する。これにより、動作エラーによって乱れた部分の画像が動画像に取り込まれることがなく、高品質な動画像を得ることができる。なお、挿脱駆動機構１０４による偏光フィルタ１１０の挿脱駆動又は回転駆動機構１１１による偏光フィルタ１１０の回転駆動に動作エラーが発生したときは、画像処理部１９０による画像処理と併せて、ＬＣＤモニタ１０８への警告表示及び／又は警告音の発生を行ってもよい。
【００４５】
制御部１２０は、モード設定部１５０が設定している動画撮影モードに応じて、挿脱駆動機構１０４及び回転駆動機構１１１並びにＣＣＤ１０３を異なる態様で制御する。以下では、制御部１２０の制御内容を、モード設定部１５０が設定している動画撮影モードに応じて場合分けして説明する。
【００４６】
「偏光フィルタ使用禁止モード」が設定されている場合
制御部１２０は、シャッターボタン１６０が押されてＣＣＤ１０３による動画撮像を開始するための指示信号が入力すると、シャッターボタン１６０が押された時点において、偏光フィルタ１１０が挿入位置と離脱位置のいずれに位置しているかを判定する。
【００４７】
制御部１２０は、次のようにして偏光フィルタ１１０が挿入位置と離脱位置のいずれに位置しているかを判定する。すなわち、偏光フィルタ１１０の挿入位置と離脱位置に対応する位置にフォトインタラプタからなる挿入検知センサと離脱検知センサを設け、偏光フィルタ１１０を保持するフィルタ枠にセンサ通過片（図示せず）を形成する。制御部１２０は、センサ通過片が挿入検知センサの発光部と受光部の間に進入して発光部から受光部への光の入射を遮ることで、偏光フィルタ１１０が挿入位置にあると判定し、センサ通過片が離脱検知センサの発光部と受光部の間に進入して発光部から受光部への光の入射を遮ることで、偏光フィルタ１１０が離脱位置にあると判定する。
【００４８】
あるいは制御部１２０は、偏光フィルタ１１０を回転駆動する偏光フィルタ駆動部１１１のステッピングモータに与えたパルス数を読み取ることで、偏光フィルタ１１０が挿入位置と離脱位置のいずれに位置しているかを判定することができる。
【００４９】
あるいは制御部１２０は、挿脱駆動機構１０４のホールＩＣの出力が挿脱駆動モータのロータの回転角度に応じて変動することを利用して、挿脱駆動機構１０４のホールＩＣの出力を読み取ることで、偏光フィルタ１１０が挿入位置と離脱位置のいずれに位置しているかを判定することができる。
【００５０】
制御部１２０は、シャッターボタン１６０が押された時点において偏光フィルタ１１０が挿入位置に位置していると判定したときは、挿脱駆動機構１０４を介して偏光フィルタ１１０を離脱位置に離脱駆動させる。一方、制御部１２０は、シャッターボタン１６０が押された時点において偏光フィルタ１１０が離脱位置に位置していると判定したときは、偏光フィルタ１１０をそのまま離脱位置に位置させる。そして制御部１２０は、偏光フィルタ１１０を離脱位置に位置させたままで、ＣＣＤ１０３による動画撮像を開始させ、動画撮像の開始から終了に至るまで、挿脱駆動機構１０４による偏光フィルタ１１０の挿入駆動を禁止する（フィルタ挿脱スイッチ１３０の入力操作を無効にする）。
【００５１】
「偏光フィルタ離脱不能回転不能モード」が設定されている場合
制御部１２０は、シャッターボタン１６０が押されてＣＣＤ１０３による動画撮像を開始するための指示信号が入力すると、シャッターボタン１６０が押された時点において、偏光フィルタ１１０が挿入位置と離脱位置のいずれに位置しているかを判定する。
【００５２】
制御部１２０は、シャッターボタン１６０が押された時点において偏光フィルタ１１０が挿入位置に位置しているときは、偏光フィルタ１１０をそのまま挿入位置に位置させる。一方、制御部１２０は、シャッターボタン１６０が押された時点において偏光フィルタ１１０が離脱位置に位置しているときは、挿脱駆動機構１０４を介して偏光フィルタ１１０を挿入位置に挿入駆動させる。そして制御部１２０は、偏光フィルタ１１０を挿入位置に位置させたままで、ＣＣＤ１０３による動画撮像を開始させ、動画撮像の開始から終了に至るまで、挿脱駆動機構１０４による偏光フィルタ１１０の離脱駆動及び回転駆動機構１０４による偏光フィルタ１１０の回転駆動を禁止する（フィルタ挿脱スイッチ１３０とフィルタ回転スイッチ１４０の入力操作を無効にする）。
【００５３】
偏光フィルタ１１０の挿入位置における回転角度は、ＣＣＤ１０３による動画撮像を実行する前に予め設定変更が可能とする態様、又はデジタルカメラ１００の固有の回転角度として設定する態様を採用することができる。前者の態様によれば、偏光フィルタ１１０により得られる偏光効果を予め設定変更することでユーザの利便性を高めることができる。後者の態様によれば、水平方向に振動する偏光成分をカットすることで、まるで偏光サングラスをかけて見ているかのような動画撮影を行うことができる。この場合、偏光サングラスの偏光効果に対応する偏光フィルタ１１０の回転角度（水平方向に振動する偏光成分をカットするような偏光フィルタ１１０の回転角度）を予め記憶しておき、これをデジタルカメラ１００の固有の回転角度として設定することができる。
【００５４】
「偏光フィルタ挿脱可能回転不能モード」が設定されている場合
制御部１２０は、シャッターボタン１６０が押されてＣＣＤ１０３による動画撮像を開始するための指示信号が入力すると、シャッターボタン１６０が押された時点における偏光フィルタ１１０の挿脱位置を維持する。そして制御部１２０は、ＣＣＤ１０３による動画撮像を開始させ、動画撮像の開始から終了に至るまで、挿脱駆動機構１０４による偏光フィルタ１１０の挿脱駆動を許可し、回転駆動機構１１１による偏光フィルタ１１０の回転駆動を禁止する（フィルタ挿脱スイッチ１３０の入力操作を有効にし、フィルタ回転スイッチ１４０の入力操作を無効にする）。
【００５５】
より具体的に制御部１２０は、モード設定部１５０が「偏光フィルタ手動挿脱モード」を設定しているときは、ユーザによるフィルタ挿脱スイッチ１３０の入力操作に応じて、挿脱駆動機構１０４によって偏光フィルタ１１０を挿脱駆動させる。
【００５６】
一方、制御部１２０は、モード設定部１５０が「偏光フィルタ自動挿脱モード」を設定しているときは、測光手段１７０が取得した被写体像の輝度信号に基づいて、挿脱駆動機構１０４によって偏光フィルタ１１０を自動的に挿脱駆動させる。例えば制御部１２０は、偏光フィルタ１１０が挿入位置にある場合において、屋外から屋内に移動する又は太陽が雲に隠れるなどによって、測光手段１７０が取得した被写体像の輝度値が予め設定した閾値を超えて急激に低くなったときは、挿脱駆動機構１０４によって偏光フィルタ１１０を自動的に離脱駆動させる。また制御部１２０は、偏光フィルタ１１０が離脱位置にある場合において、屋内から屋外に移動する又は雲に隠れていた太陽が顔を出すなどによって、測光手段１７０が取得した被写体像の輝度値が予め設定した閾値を超えて急激に高くなったときは、挿脱駆動機構１０４によって偏光フィルタ１１０を自動的に挿入駆動させる。
【００５７】
偏光フィルタ１１０の挿入位置における回転角度は、ＣＣＤ１０３による動画撮像を実行する前に予め設定変更が可能とする態様、又はデジタルカメラ１００の固有の回転角度として設定する態様を採用することができる。前者の態様によれば、偏光フィルタ１１０により得られる偏光効果を予め設定変更することでユーザの利便性を高めることができる。後者の態様によれば、水平方向に振動する偏光成分をカットすることで、まるで偏光サングラスをかけて見ているかのような動画撮影を行うことができる。この場合、偏光サングラスの偏光効果に対応する偏光フィルタ１１０の回転角度（水平方向に振動する偏光成分をカットするような偏光フィルタ１１０の回転角度）を予め記憶しておき、これをデジタルカメラ１００の固有の回転角度として設定することができる。
【００５８】
「偏光フィルタ離脱不能回転可能モード」が設定されている場合
制御部１２０は、シャッターボタン１６０が押されてＣＣＤ１０３による動画撮像を開始するための指示信号が入力すると、シャッターボタン１６０が押された時点において、偏光フィルタ１１０が挿入位置と離脱位置のいずれに位置しているかを判定する。
【００５９】
制御部１２０は、シャッターボタン１６０が押された時点において偏光フィルタ１１０が挿入位置に位置しているときは、偏光フィルタ１１０をそのまま挿入位置に位置させる。一方、制御部１２０は、シャッターボタン１６０が押された時点において偏光フィルタ１１０が離脱位置に位置しているときは、挿脱駆動機構１０４を介して偏光フィルタ１１０を挿入位置に挿入駆動させる。そして制御部１２０は、偏光フィルタ１１０を挿入位置に位置させたままで、ＣＣＤ１０３による動画撮像を開始させ、動画撮像の開始から終了に至るまで、回転駆動機構１０４による偏光フィルタ１１０の回転駆動を許可し、挿脱駆動機構１０４による偏光フィルタ１１０の離脱駆動を禁止する（フィルタ回転スイッチ１４０の入力操作を有効にし、フィルタ挿脱スイッチ１３０の入力操作を無効にする）。
【００６０】
より具体的に制御部１２０は、モード設定部１５０が「偏光フィルタ手動回転モード」を設定しているときは、ユーザによるフィルタ回転スイッチ１４０の入力操作に応じて、回転駆動機構１１１によって偏光フィルタ１１０を回転駆動させる。
【００６１】
一方、制御部１２０は、モード設定部１５０が「偏光フィルタ自動回転モード」を設定しているときは、例えば、測光手段１７０が取得した被写体像の輝度値の変化、露光条件、物体認識による被写体変化などの評価値（指標）に基づいて、回転駆動機構１１１によって偏光フィルタ１１０を自動的に回転駆動させる。これにより、被写体が変わったときやカメラボディ１００Ｂの姿勢が変わったときであっても、偏光フィルタ１１０を自動で回転駆動することで、偏光効果が同一に維持するような制御が可能になる。
【００６２】
制御部１２０は、手動回転と自動回転の如何を問わず、回転駆動機構１１１によって偏光フィルタ１１０を回転駆動させるとき、ＣＣＤ１０３が動画撮像を実行しているときとそれ以外のときとで、偏光フィルタ１１０を回転駆動させる速度を変化させることができる。すなわち制御部１２０は、ＣＣＤ１０３による動画撮像中には動画撮影専用の速度（例えば超高速回転又は超低速回転）で偏光フィルタ１１０を回転駆動させることができる。
【００６３】
続いて、図３ないし図８のフローチャートを参照して、本発明によるデジタルカメラ１００を用いた動画撮影方法の第１実施形態ないし第６実施形態について説明する。
【００６４】
［第１実施形態］
図３のフローチャートは、モード設定部１５０によって「偏光フィルタ使用禁止モード」が設定されている場合の動画撮影方法を示している。
【００６５】
まず制御部１２０は、ユーザによってシャッターボタン１６０が押されたか否かを判定する（ステップＳ１）。制御部１２０は、シャッターボタン１６０が押されていないときは（ステップＳ１：ＮＯ）、ＣＣＤ１０３による動画撮像を行わない。
【００６６】
シャッターボタン１６０が押されたときは（ステップＳ１：ＹＥＳ）、シャッターボタン１６０から制御部１２０に、ＣＣＤ１０３による動画撮像を開始するための指示信号が入力する（ステップＳ２）。
【００６７】
すると制御部１２０は、シャッターボタン１６０が押された時点において偏光フィルタ１１０が挿入位置と離脱位置のいずれに位置しているかを判定する（ステップＳ３）。
【００６８】
制御部１２０は、シャッターボタン１６０が押された時点において偏光フィルタ１１０が挿入位置に位置していると判定したときは、挿脱駆動機構１０４を介して偏光フィルタ１１０を離脱位置に離脱駆動させる（ステップＳ４）。一方、制御部１２０は、シャッターボタン１６０が押された時点において偏光フィルタ１１０が離脱位置に位置していると判定したときは、偏光フィルタ１１０をそのまま離脱位置に位置させる（ステップＳ５）。
【００６９】
制御部１２０は、偏光フィルタ１１０を離脱位置に位置させたままで、挿脱駆動機構１０４による偏光フィルタ１１０の挿入駆動を禁止するとともに（ステップＳ６）、ＣＣＤ１０３による動画撮像を開始させる（ステップＳ７）。
【００７０】
制御部１２０は、ＣＣＤ１０３による動画撮像中に、ユーザによってシャッターボタン１６０が押されたか否かを判定する（ステップＳ８）。制御部１２０は、シャッターボタン１６０が押されない限り（ステップＳ８：ＮＯ）、ＣＣＤ１０３による動画撮像を続行する。
【００７１】
ＣＣＤ１０３による動画撮像中にシャッターボタン１６０が押されたときは（ステップＳ８：ＹＥＳ）、シャッターボタン１６０から制御部１２０に、ＣＣＤ１０３による動画撮像を終了するための指示信号が入力する（ステップＳ９）。
【００７２】
すると制御部１２０は、ＣＣＤ１０３による動画撮像を終了させた後に（ステップＳ１０）、挿脱駆動機構１０４による偏光フィルタ１１０の挿入駆動を許可する（ステップＳ１１）。
【００７３】
このように、本発明の第１実施形態の動画撮影方法によれば、「偏光フィルタは専ら静止画撮影時に使用するものであって動画撮影時には一切使用したくない」というユーザの撮影趣向に応えることができる。また、動画撮影中に偏光フィルタ１１０が離脱位置から移動せず、ユーザの誤操作により偏光フィルタ１１０が挿入駆動又は回転駆動されることがないので、ユーザが意図しない動画撮影を行って動画像が台無しになるのを防止することができる。また、動画撮影中に偏光フィルタ１１０を保持するフィルタ枠が撮影光束を遮ってケラレが発生することがない。また、自動露出機能（ＡＥ機能）を用いて動画撮影を行う場合であっても、動画撮影中に最適な露出が変わることがないので、好適な自動露出を行うことができる。また、動画撮影中の過度な発熱や消費電力の増大を防ぐことができる。
【００７４】
［第２実施形態］
図４のフローチャートは、モード設定部１５０によって「偏光フィルタ使用許可モード」の「偏光フィルタ離脱不能回転不能モード」が設定されている場合の動画撮影方法を示している。
【００７５】
まず制御部１２０は、ユーザによってシャッターボタン１６０が押されたか否かを判定する（ステップＳ２１）。制御部１２０は、シャッターボタン１６０が押されていないときは（ステップＳ２１：ＮＯ）、ＣＣＤ１０３による動画撮像を行わない。
【００７６】
シャッターボタン１６０が押されたときは（ステップＳ２１：ＹＥＳ）、シャッターボタン１６０から制御部１２０に、ＣＣＤ１０３による動画撮像を開始するための指示信号が入力する（ステップＳ２２）。
【００７７】
すると制御部１２０は、シャッターボタン１６０が押された時点において偏光フィルタ１１０が挿入位置と離脱位置のいずれに位置しているかを判定する（ステップＳ２３）。
【００７８】
制御部１２０は、シャッターボタン１６０が押された時点において偏光フィルタ１１０が挿入位置に位置していると判定したときは、偏光フィルタ１１０をそのまま挿入位置に位置させる（ステップＳ２４）。一方、制御部１２０は、シャッターボタン１６０が押された時点において偏光フィルタ１１０が離脱位置に位置していると判定したときは、挿脱駆動機構１０４を介して偏光フィルタ１１０を挿入位置に挿入駆動させる（ステップＳ２５）。
【００７９】
制御部１２０は、偏光フィルタ１１０を挿入位置に位置させたままで、挿脱駆動機構１０４による偏光フィルタ１１０の離脱駆動及び回転駆動機構１１１による偏光フィルタ１１０の回転駆動を禁止するとともに（ステップＳ２６）、ＣＣＤ１０３による動画撮像を開始させる（ステップＳ２７）。
【００８０】
制御部１２０は、ＣＣＤ１０３による動画撮像中に、ユーザによってシャッターボタン１６０が押されたか否かを判定する（ステップＳ２８）。制御部１２０は、シャッターボタン１６０が押されない限り（ステップＳ２８：ＮＯ）、ＣＣＤ１０３による動画撮像を続行する。
【００８１】
ＣＣＤ１０３による動画撮像中にシャッターボタン１６０が押されたときは（ステップＳ２８：ＹＥＳ）、シャッターボタン１６０から制御部１２０に、ＣＣＤ１０３による動画撮像を終了するための指示信号が入力する（ステップＳ２９）。
【００８２】
すると制御部１２０は、ＣＣＤ１０３による動画撮像を終了させた後に（ステップＳ３０）、挿脱駆動機構１０４による偏光フィルタ１１０の離脱駆動及び回転駆動機構１１１による偏光フィルタ１１０の回転駆動を許可する（ステップＳ３１）。
【００８３】
このように、本発明の第２実施形態の動画撮影方法によれば、「偏光フィルタの回転角度を水平方向に振動する偏光成分をカットするような回転角度に固定することで偏光サングラスをかけて見ているかのような動画撮影を行いたい」というユーザの撮影趣向に応えることができる。また、動画撮影中に偏光フィルタ１１０が挿入位置から移動せず、ユーザの誤操作により偏光フィルタ１１０が離脱駆動又は回転駆動されることがないので、ユーザが意図しない動画撮影を行って動画像が台無しになるのを防止することができる。また、動画撮影中に偏光フィルタ１１０を保持するフィルタ枠が撮影光束を遮ってケラレが発生することがない。また、自動露出機能（ＡＥ機能）を用いて動画撮影を行う場合であっても、動画撮影中に最適な露出が変わることがないので、好適な自動露出を行うことができる。また、動画撮影中の過度な発熱や消費電力の増大を防ぐことができる。
【００８４】
［第３実施形態］
図５のフローチャートは、モード設定部１５０によって「偏光フィルタ使用許可モード」の「偏光フィルタ挿脱可能回転不能モード」の「偏光フィルタ手動挿脱モード」が設定されている場合の動画撮影方法を示している。
【００８５】
まず制御部１２０は、ユーザによってシャッターボタン１６０が押されたか否かを判定する（ステップＳ４１）。制御部１２０は、シャッターボタン１６０が押されていないときは（ステップＳ４１：ＮＯ）、ＣＣＤ１０３による動画撮像を行わない。
【００８６】
シャッターボタン１６０が押されたときは（ステップＳ４１：ＹＥＳ）、シャッターボタン１６０から制御部１２０に、ＣＣＤ１０３による動画撮像を開始するための指示信号が入力する（ステップＳ４２）。
【００８７】
すると制御部１２０は、シャッターボタン１６０が押された時点において偏光フィルタ１１０が挿入位置と離脱位置のいずれに位置しているかを判定する（ステップＳ４３）。
【００８８】
制御部１２０は、シャッターボタン１６０が押された時点において偏光フィルタ１１０が挿入位置に位置していると判定したときは、偏光フィルタ１１０をそのまま挿入位置に位置させる（ステップＳ４４）。一方、制御部１２０は、シャッターボタン１６０が押された時点において偏光フィルタ１１０が離脱位置に位置していると判定したときは、偏光フィルタ１１０をそのまま離脱位置に位置させる（ステップＳ４５）。
【００８９】
制御部１２０は、偏光フィルタ１１０を挿入位置又は離脱位置に位置させたままで、回転駆動機構１１１による偏光フィルタ１１０の回転駆動を禁止するとともに（ステップＳ４６）、ＣＣＤ１０３による動画撮像を開始させる（ステップＳ４７）。
【００９０】
制御部１２０は、ＣＣＤ１０３による動画撮像中にユーザによってフィルタ挿脱スイッチ１３０が押されたか否かを判定する（ステップＳ４８）。制御部１２０は、フィルタ挿脱スイッチ１３０が押されたときは（ステップＳ４８：ＹＥＳ）、挿脱駆動機構１０４によって偏光フィルタ１１０を挿脱駆動する（ステップＳ４９）。制御部１２０は、フィルタ挿脱スイッチ１３０が押されていないときは（ステップＳ４８：ＮＯ）、挿脱駆動機構１０４による偏光フィルタ１１０の挿脱駆動を行わずに、ＣＣＤ１０３による動画撮像を続行する。
【００９１】
また制御部１２０は、ＣＣＤ１０３による動画撮像中に、ユーザによってシャッターボタン１６０が押されたか否かを判定する（ステップＳ５０）。制御部１２０は、シャッターボタン１６０が押されない限り（ステップＳ５０：ＮＯ）、ＣＣＤ１０３による動画撮像を続行する。
【００９２】
ＣＣＤ１０３による動画撮像中にシャッターボタン１６０が押されたときは（ステップＳ５０：ＹＥＳ）、シャッターボタン１６０から制御部１２０に、ＣＣＤ１０３による動画撮像を終了するための指示信号が入力する（ステップＳ５１）。
【００９３】
すると制御部１２０は、ＣＣＤ１０３による動画撮像を終了させた後に（ステップＳ５２）、回転駆動機構１１１による偏光フィルタ１１０の回転駆動を許可する（ステップＳ５３）。
【００９４】
［第４実施形態］
図６のフローチャートは、モード設定部１５０によって「偏光フィルタ使用許可モード」の「偏光フィルタ挿脱可能回転不能モード」の「偏光フィルタ自動挿脱モード」が設定されている場合の動画撮影方法を示している。
【００９５】
図６のフローチャートは、図５のフローチャートのステップＳ４８に代えてステップＳ４８’を有しており、その他の処理ステップは図５のフローチャートと同一である。従ってステップＳ４８’に関連する処理ステップのみを説明してその他の処理ステップの説明は省略する。
【００９６】
制御部１２０は、ＣＣＤ１０３による動画撮像が開始された後に（ステップＳ４７）、測光手段１７０が取得した被写体像の輝度値が予め設定した閾値を超えて変化したか否かを判定する（ステップＳ４８’）。制御部１２０は、測光手段１７０が取得した被写体像の輝度値が予め設定した閾値を超えて変化したときには（ステップＳ４８’：ＹＥＳ）、挿脱駆動機構１０４によって偏光フィルタ１１０を自動的に挿脱駆動する（ステップＳ４９）。例えば制御部１２０は、偏光フィルタ１１０が挿入位置にある場合において、屋外から屋内に移動する又は太陽が雲に隠れるなどによって、測光手段１７０が取得した被写体像の輝度値が予め設定した閾値を超えて急激に低くなったときは、挿脱駆動機構１０４によって偏光フィルタ１１０を自動的に離脱駆動させる。また制御部１２０は、偏光フィルタ１１０が離脱位置にある場合において、屋内から屋外に移動する又は雲に隠れていた太陽が顔を出すなどによって、測光手段１７０が取得した被写体像の輝度値が予め設定した閾値を超えて急激に高くなったときは、挿脱駆動機構１０４によって偏光フィルタ１１０を自動的に挿入駆動させる。制御部１２０は、測光手段１７０が取得した被写体像の輝度値が予め設定した閾値を超えて変化しないときには（ステップＳ４８’：ＮＯ）挿脱駆動機構１０４による偏光フィルタ１１０の挿脱駆動を行わずに、ＣＣＤによる動画撮像を続行する。
【００９７】
このように、本発明の第３実施形態及び第４実施形態の動画撮影方法によれば、「偏光フィルタを挿脱駆動させて偏光フィルタの使用時と非使用時の偏光効果を見比べたい」あるいは「被写体が急激に明るくなったり暗くなったりしたときに自動的に偏光フィルタを挿脱駆動したい」というユーザの撮影趣向に応えることができる。また、ユーザの誤操作により偏光フィルタ１１０が回転駆動されることがないので、ユーザが意図しない動画撮影を行って動画像が台無しになるのを防止することができる。また、自動露出機能（ＡＥ機能）を用いて動画撮影を行う場合であっても、動画撮影中に偏光フィルタ１１０が回転駆動して最適な露出が変わることがないので、好適な自動露出を行うことができる。また、偏光フィルタ１１０の挿脱駆動が可能なので、デジタルカメラ１００側の自動露出による露出調整の幅を広げることができる。また、動画撮影中に偏光フィルタ１１０が回転駆動して過度な発熱や消費電力の増大が起きるのを防ぐことができる。
【００９８】
［第５実施形態］
図７のフローチャートは、モード設定部１５０によって「偏光フィルタ使用許可モード」の「偏光フィルタ離脱不能回転可能モード」の「偏光フィルタ手動回転モード」が設定されている場合の動画撮影方法を示している。
【００９９】
まず制御部１２０は、ユーザによってシャッターボタン１６０が押されたか否かを判定する（ステップＳ６１）。制御部１２０は、シャッターボタン１６０が押されていないときは（ステップＳ６１：ＮＯ）、ＣＣＤ１０３による動画撮像を行わない。
【０１００】
シャッターボタン１６０が押されたときは（ステップＳ６１：ＹＥＳ）、シャッターボタン１６０から制御部１２０に、ＣＣＤ１０３による動画撮像を開始するための指示信号が入力する（ステップＳ６２）。
【０１０１】
すると制御部１２０は、シャッターボタン１６０が押された時点において偏光フィルタ１１０が挿入位置と離脱位置のいずれに位置しているかを判定する（ステップＳ６３）。
【０１０２】
制御部１２０は、シャッターボタン１６０が押された時点において偏光フィルタ１１０が挿入位置に位置していると判定したときは、偏光フィルタ１１０をそのまま挿入位置に位置させる（ステップＳ６４）。一方、制御部１２０は、シャッターボタン１６０が押された時点において偏光フィルタ１１０が離脱位置に位置していると判定したときは、挿脱駆動機構１０４を介して偏光フィルタ１１０を挿入位置に挿入駆動させる（ステップＳ６５）。
【０１０３】
制御部１２０は、偏光フィルタ１１０を挿入位置に位置させたままで、挿脱駆動機構１０４による偏光フィルタ１１０の離脱駆動を禁止するとともに（ステップＳ６６）、ＣＣＤ１０３による動画撮像を開始させる（ステップＳ６７）。
【０１０４】
制御部１２０は、ＣＣＤ１０３による動画撮像中にユーザによってフィルタ回転スイッチ１４０が押されたか否かを判定する（ステップＳ６８）。制御部１２０は、フィルタ回転スイッチ１４０が押されたときは（ステップＳ６８：ＹＥＳ）、回転駆動機構１１１によって偏光フィルタ１１０を回転駆動する（ステップＳ６９）。制御部１２０は、フィルタ回転スイッチ１４０が押されていないときは（ステップＳ６８：ＮＯ）、回転駆動機構１１１による偏光フィルタ１１０の回転駆動を行わずに、ＣＣＤ１０３による動画撮像を続行する。
【０１０５】
また制御部１２０は、ＣＣＤ１０３による動画撮像中に、ユーザによってシャッターボタン１６０が押されたか否かを判定する（ステップＳ７０）。制御部１２０は、シャッターボタン１６０が押されない限り（ステップＳ７０：ＮＯ）、ＣＣＤ１０３による動画撮像を続行する。
【０１０６】
ＣＣＤ１０３による動画撮像中にシャッターボタン１６０が押されたときは（ステップＳ７０：ＹＥＳ）、シャッターボタン１６０から制御部１２０に、ＣＣＤ１０３による動画撮像を終了するための指示信号が入力する（ステップＳ７１）。
【０１０７】
すると制御部１２０は、ＣＣＤ１０３による動画撮像を終了させた後に（ステップＳ７２）、挿脱駆動機構１０４による偏光フィルタ１１０の離脱駆動を許可する（ステップＳ７３）。
【０１０８】
［第６実施形態］
図８のフローチャートは、モード設定部１５０によって「偏光フィルタ使用許可モード」の「偏光フィルタ離脱不能回転可能モード」の「偏光フィルタ自動回転モード」が設定されている場合の動画撮影方法を示している。
【０１０９】
図８のフローチャートは、図７のフローチャートのステップＳ６８及びステップＳ６９に代えてステップＳ６８’を有しており、その他の処理ステップは図７のフローチャートと同一である。従ってステップＳ６８’に関連する処理ステップのみを説明してその他の処理ステップの説明は省略する。
【０１１０】
制御部１２０は、ＣＣＤ１０３による動画撮像が開始された後に（ステップＳ６７）、例えば、測光手段１７０が取得した被写体像の輝度値の変化、露光条件、物体認識による被写体変化などの評価値（指標）に基づいて、回転駆動機構１１１によって偏光フィルタ１１０を自動的に回転駆動させる（ステップＳ６８’）。
【０１１１】
このように、本発明の第５実施形態及び第６実施形態の動画撮影方法によれば、「偏光フィルタを回転させて偏光効果の変化を適宜取り込みながら動画撮影を行いたい」あるいは「被写体像の輝度値の変化、露光条件、物体認識による被写体変化などの評価値（指標）に応じて自動的に偏光フィルタを回転駆動したい」というユーザの撮影趣向に応えることができる。また、ユーザの誤操作により偏光フィルタ１１０が離脱駆動されることがないので、ユーザが意図しない動画撮影を行って動画像が台無しになるのを防止することができる。また、動画撮影中に偏光フィルタ１１０を保持するフィルタ枠が撮影光束を遮ってケラレが発生することがない。また、動画撮影中に偏光フィルタ１１０が離脱駆動して過度な発熱や消費電力の増大が起きるのを防ぐことができる。
【０１１２】
このように本実施形態では、モード設定部１５０が、偏光フィルタ１１０を使用した動画撮影を許可する偏光フィルタ使用許可モードと、偏光フィルタ１１０を使用した動画撮影を禁止する偏光フィルタ使用禁止モードとのいずれかを設定し、制御部１２０が、モード設定部１５０が偏光フィルタ使用許可モードと偏光フィルタ使用禁止モードとのいずれを設定しているかに応じて、挿脱駆動機構１０４及び回転駆動機構１１１並びにＣＣＤ１０３を異なる態様で制御する。これにより、ユーザの撮影趣向に個別かつ柔軟に対応して満足度の高い動画撮影を実行することができる。
【０１１３】
以上の実施形態では、本発明による動画撮影装置をデジタルカメラ１００に適用した場合を例示したが、本発明による動画撮影装置はビデオカメラ等の他の撮影装置に適用することができる。
【０１１４】
以上の実施形態では、回転光学要素として偏光フィルタ１１０を用いた場合を例示して説明した。しかし、回転光学要素は、撮影光学系の光路上において回転することで異なる撮影効果を与えるものであればよく、偏光フィルタ以外に、例えば、クロスフィルタ、多面効果フィルタ、ＮＤフィルタ、ハーフＮＤフィルタなどを用いることも可能である。
【０１１５】
以上の実施形態では、偏光フィルタ１１０として直線偏光フィルタを用いた場合を例示して説明したが、円偏光フィルタを用いることも可能である。円偏光フィルタは、その回転角度位置がθ°のときの偏光効果とその回転角度位置がθ＋９０°のときの偏光効果とが同一となる偏光特性を有している。
【０１１６】
以上の実施形態では、「偏光フィルタ使用許可モード」においても何らかの使用制限が存在する場合を例示して説明したが、何らの使用制限も存在しない「偏光フィルタ使用許可モード（完全使用許可モード）」を設定できるようにしてもよい。このモードでは、動画撮影中に偏光フィルタ１１０の挿脱駆動と回転駆動を自由に行うことができる。この態様にあっては、モード設定部１５０は、「完全使用許可モード」、「偏光フィルタ離脱不能回転不能モード（一部使用禁止モード）」、「偏光フィルタ挿脱可能回転不能モード（一部使用禁止モード）」及び「偏光フィルタ離脱不能回転可能モード（一部使用禁止モード）」のいずれかを設定することができる。
【０１１７】
以上の実施形態では、シャッターボタン１６０が押されたときに動画撮影を実行する場合を例示して説明したが、動画撮影を実行するための契機はこれに限定されるものではない。例えば、シャッターボタン１６０とは別に専用の動画撮影ボタンを設けてこの動画撮影ボタンが押されたときに動画撮影を実行する態様、ユーザのカスタマイズによって各種の操作ボタンに動画撮影実行機能を割り当てる態様、ＬＣＤモニタ１０８を利用したタッチパネル方式のメニューから選択することで動画撮影を実行する態様が可能である。
【０１１８】
以上の実施形態では、制御部１２０による制御の下、偏光フィルタ１１０の駆動音が発生し得ない動画撮影モードではマイクロフォン１８０による音声録音を許可し、偏光フィルタ１１０の駆動音が発生し得る動画撮影モードではマイクロフォン１８０による音声録音を禁止する場合を例示して説明した。しかし、この実施形態はあくまで一例であり、偏光フィルタ１１０の駆動音が発生し得ない動画撮影モードにおいてマイクロフォン１８０による音声録音を禁止する態様、偏光フィルタ１１０の駆動音が発生し得る動画撮影モードにおいてマイクロフォン１８０による音声録音を許可する態様も可能である。
【符号の説明】
【０１１９】
１００  デジタルカメラ（動画撮影装置）
１００Ｂ  カメラボディ
１０１  固定レンズ（撮影光学系）
１０２  フォーカシングレンズ（撮影光学系）
１０２ａ  フォーカシングレンズ駆動部
１０３ａ  撮像面
１０３  ＣＣＤ（動画撮像部）
１０４  挿脱駆動機構
１０５  Ａ／Ｄ変換器
１０６  信号処理回路
１０７  画像記録部
１０８  ＬＣＤモニタ
１１０  偏光フィルタ（回転光学要素）
１１１  回転駆動機構
１２０  制御部
１３０  フィルタ挿脱スイッチ（挿脱駆動スイッチ）
１４０  フィルタ回転スイッチ（回転駆動スイッチ）
１５０  動画撮影モード設定部（モード設定部）
１６０  シャッターボタン
１７０  測光手段（輝度信号取得部）
１８０  マイクロフォン（音声録音部）
１９０  画像処理部
【図１】
2014049869.tif 000003
【図２】
2014049869.tif 000004
【図３】
2014049869.tif 000005
【図４】
2014049869.tif 000006
【図５】
2014049869.tif 000007
【図６】
2014049869.tif 000008
【図７】
2014049869.tif 000009
【図８】
2014049869.tif 000010